(57)【要約】この発明は、逆止めバルブ（３）、特に小便器用バルブに関し、このバルブは、一方の端部に自己支持している谷形状の領域（５）を、他方の端部に平坦なストリップ（６）を持つ、非常に柔軟で弾力性の有る材料から成る部品（４）、及びこの平坦なストリップ（６）によって封着することができる面を形成するようにした相補形部品を有し、好ましくはこの相補形部品は、同じ構造体を鏡像関係に配置したものである。
2006511768.tif 000002
【特許請求の範囲】
【請求項１】
一方の端部が、自己支持している谷形状の領域（５）で終止しており、柔軟で弾力性の有る材料から成る平坦なストリップ（６）を持つ部品（４）及び、このストリップ（６）の他方の端部によって封着される面を形成するようにした相補形部品を有することを特徴とする逆止めバルブ（３）。
【請求項２】
当該の相補形部品が、同じ構造体を鏡像関係に配置したものであることを特徴とする請求項１に記載の逆止めバルブ（３）。
【請求項３】
当該の自己支持している端部（５）が、相互の間を固定されていることを特徴とする請求項２に記載の逆止めバルブ（３）。
【請求項４】
当該の端部（５）が、接着剤によって相互の間を固定されていることを特徴とする請求項３に記載の逆止めバルブ（３）。
【請求項５】
当該の部品（４）の自己支持している端部（５）が、外側に延びたフランジ（７）を支えていることを特徴とする請求項２に記載の逆止めバルブ（３）。
【請求項６】
当該のストリップ（６）が縦方向に対して内側に潰れるのを防止する手段を有することを特徴とする請求項２に記載の逆止めバルブ（３）。
【請求項７】
当該の防止手段が、一方の端部にフランジを付け、その縦部分に沿って他方の自由な端部（１０）から途中まで延びたスロット（９）を有するチューブ（８）で構成されることを特徴とする請求項６に記載の逆止めバルブ（３）。
【請求項８】
当該の防止手段が、谷形状の領域（５）との接合点からフランジ（７）の方に外側の方向を向いて、向かい合って配置されたリブ（１１）で構成され、これらのリブ（１１）がチューブ（８）への摩擦ばめとなっていることを特徴とする請求項７に記載の逆止めバルブ（３）。
【請求項９】
請求項２に記載の小便器用バルブ（３）。
【請求項１０】
請求項２に記載のバルブ（３）を有する小便器。
【発明の詳細な説明】
【技術分野】
【０００１】
この発明は、流体制御バルブ、より詳しくは重力により生じる流れだけを許容するのに適したバルブに関する。
【背景技術】
【０００２】
この種のバルブには、一つの方向への液体の流れを許容するとともに、その反対方向へのガスの流れを阻止する特別な用途が有る。そのようなバルブの主な用途は、小便器設備に有る。この場合、このバルブを通って下水道システムへの尿の流れを許容する一方、その逆方向への悪臭ガスの逆流を防止する必要がある。
【０００３】
幾つかの又はその他の液体用トラップを有する、上記の目的用のバルブが開発されているが、これらは、液体の流出や液体の汚染、並びに固体物の沈殿とその結果の詰りなどの良く知られた欠点に悩まされている。
【０００４】
その後の発展により、広い入口領域から延びる平らにされた柔軟で、好ましくは弾力性の有るチューブを使用するようになってきている。これらは、水上競技用の船、特にパワーボートで使用されている排水チューブ用バルブから発展させたものである。
【０００５】
出願人に周知のバルブは、特許文献１及び特許文献２に記載されている。
【０００６】
これらのバルブの両方は、平らにされたチューブの端に沿った曲がった領域に沈殿物が蓄積するのに悩まされており、そこは最も弾力性が無い領域である。この弾力性の欠如のために、この蓄積物を除去することも難しくなっている。更に、この蓄積物が成長するにつれて、チューブを押し広げて、もはやバルブがガスの逆流を封止しない段階に到るまでとなる。
【０００７】
このことは、バルブを小便器に利用する際に非常に望ましくない。いずれにしても、これらは、製造が難しい。
【０００８】
この周知のバルブは、高すぎる圧力差のもとで縦方向に対して内側に潰れることにも悩まされており、操作に関する望ましい順応性を維持しつつ、この圧力差に対する設計を容易に実現することはできない。
【特許文献１】米国特許出願公開明細書第６，４０１，２６６号
【特許文献２】オランダ国特許発明明細書第１０１５７４５号
【発明の開示】
【発明が解決しようとする課題】
【０００９】
この発明の課題は、ここで述べた欠点を少なくともある程度克服した、ほぼ前述した種類のバルブを提供することである。
【課題を解決するための手段】
【００１０】
この発明にもとづき、その一端が自己支持している谷形状の領域（５）で終止し、非常に柔軟で弾力性の有る材料から成る平坦なストリップ（６）を持つ部品（４）、及びこのストリップ（６）の他方の一端によって封着される面を形成するようにした相補形部品を有することを特徴とする逆止めバルブが提供される。
【００１１】
この発明の別の特徴は、この相補形部品が、同じ構造体を鏡像関係に配置したものであり、これらの部品の自己支持している端部が、相互の間を固定されているものと規定する。
【００１２】
この発明の更に別の特徴は、これらの部品の自己支持している端部が、外側に延びる支持フランジを支えるとともに、これらの部品が、縦方向に対して内側に潰れるのを防止されているものと規定する。
【００１３】
また、この発明は、この防止作用が、谷形状の領域の平坦なストリップとの接合点から外側に突き出たリブを形成する比較的硬い部材、又はこれらの部品の少なくとも一部によって封止することができる一つの面又は二つの面を提供する硬い平坦な部材によって生み出されるものと規定する。
【００１４】
この発明の前述した特徴及びその他の特徴は、以下における添付図面を参照した記述により明らかとなる。
【発明を実施するための最良の形態】
【００１５】
図示されている通り、小便器（１）は、（図示されていない）下水道システムに接続している排出口（２）を有する。この排出口には、逆止めバルブ（３）が装着されている。
【００１６】
このバルブは、一端を符号（５）のところで谷形状とし、その他の部分を固有の高度な柔軟性を持つ柔軟で弾力性の有るストリップ（６）とした、相応のプラスチック又はエラストマー材料から成形加工した部品（４）を有する。
【００１７】
このバルブの例は、この発明の範囲を制限するものと考えてはならないものであり、０．８ｍｍの厚さで始まり、０．２ｍｍ厚のストリップに一体化して行く谷（５）を持つことができる。
【００１８】
使用する際には、このストリップは、対向する面と接触して閉じて、下水道システムからのガスの逆流に対して、小便器の排出口を封着しなければならない。
【００１９】
単一の部品（４）を使用することができる一方、少なくとも谷形状の領域（５）（この領域は、自己支持するためには十分に硬い）に沿って相互の間を固定した、そのような二つの部品（４）で、このバルブを構成することが好ましい。
【００２０】
これらの二つの部品の固定は、それらを製造する際の成形加工時に行うか、これに代わって適切な接着剤を用いて、谷形状の領域の端部を固定するかのどちらかが可能である。
【００２１】
谷領域（５）の外側端部の周りには、その周囲に外側に延びる支持フランジ（７）が配備されている。このフランジ（７）は、小便器の排出口内にバルブ（３）を配置するために使用される。このことは、図４に図示されている。
【００２２】
以下に述べるバルブの操作に関して必要な順応性は、ストリップ（６）によって与えられ、このため、バルブ（３）は、好ましくはチューブ（８）内に支持される。このことは、図４に図示されており、このチューブが、排出口の端部（１０）から、その縦部分に沿って途中まで延びるスロット（９）を有することに留意されたい。使用時に、排出口への自由な流れと成るストリップ（６）の間における横方向の流れを容易にするために、これらのスロット（９）は、ストリップ（６）の端部とほぼ位置が揃っている。この横方向の流れを可能としたことは、従来の種類のバルブで発生していた尿の固形物の蓄積が起こらないことを保証するためには重要である。この構造は、使用時に自身で水を勢い良く流す構造となる。
【００２３】
排出口での圧力上昇から生じ、ストリップを縦方向に対して内側に潰すこととなる、バルブにかかる圧力の急激な又は大きな変化を防止するための、好ましくはバルブ構造と一体化した変化形態が、図３ａと３ｂに図示されている。これは、従来の小便器バルブの構造の問題でもある。
【００２４】
谷形状の領域（５）とストリップ（６）間の接合点には、一対の支持リブ（１１）が互いに正反対に向かい合って配備されており、これは、バルブ（３）を小便器の排出口内に配置するための手段の一部を構成することができる。この集合体は、前述したスロットを入れたチューブ（８）に代わるものである。
【００２５】
この谷（５）が正反対に向かい合って置かれたリブを誘導している場合、これらのリブを、以下に述べるチューブ（８）内の摩擦ばめとすることによって、接着剤の使用を回避することもできる。この場合、これらのリブ（１１）は、バルブ部品を互いにしっかり保持する。
【００２６】
別の代替形態は、図３ｃと３ｄに示されている通り、排出口のカバー格子（１２）から延びるピンをバルブ（３）内に係合させることである。
【００２７】
このバルブは、排出口のカバー格子（１２）を排出口から取り除き、バルブ（３）を挿入して、そのフランジ（７）を排出口（１２）の内側の肩部（１３）上に置くことによって、簡単に取り付けることができる。好ましくは、フランジ（７）と肩部（１３）の間に、適切な封止剤を使用する。それに続いて、格子（１２）を排出口に再び装着して、この集合体を完成させる。
【００２８】
使用の際、尿は、重力によってストリップの間を下水道システムに流れて行く。この液体の流れは、ストリップの各々の側に小さい圧力差を生じさせ、この圧力差は、液体がバルブを通過する時に、実際に積極的に液体の上流への流れを封止することが分かっている。この封止によって、横方向の流れが生じるか否かには拘わらず、悪臭ガスがバルブを通って逆流して抜け出して来ることが防止される。
【００２９】
このバルブは、安価に製造することができ、試用により、自浄作用が有り、従って使用期間が長いことが示されている。
【００３０】
このバルブは、小便器に対する特別な用途を持っている一方、その他の同様な用途を持つとともに、これらの部品を異なる材料から作って、この発明の範囲から逸脱することなく、そのような用途に合わせて、より頑丈にすることができることが分かっている。
【図面の簡単な説明】
【００３１】
【図１】この発明によるバルブの一つの部品の斜視図。
【図２】相互の間を固定され、支持台内に配置された一対の部品。
【図３】内側に潰れることに対する防止手段を持つ形での小便器の排出口内に配置されたバルブの詳細図。
【図４】異なる防止手段を持つ形での図３によるバルブ。
【符号の説明】
【００３２】
１    小便器
２    排出口
３    逆止めバルブ
４    この発明による部品
５    部品（４）の谷形状の領域
６    部品（４）のストリップ
７    部品（４）のフランジ
８    チューブ
９    スロット
１０    チューブ（８）の自由な端部
１１    リブ
１２    排出口のカバー格子
１３    排出口の内側の肩部
【図１】
2006511768.tif 000003
【図２】
2006511768.tif 000004
2006511768.tif 000005
【図４】
2006511768.tif 000006
【国際調査報告】
2006511768.tif 000007
2006511768.tif 000008
2006511768.tif 000009